(57)【要約】デジタルコンテンツをユーザーに提供する方法であって、リクエストに応じてユーザーに提供するためのコンテンツの選択を格納することと、前記ユーザーが前記選択からオリジナルコンテンツを選択するように構成することと、選択されたオリジナルコンテンツが選択された携帯型の書き換え可能な記録キャリアに書き込まれるように構成することと、前記選択されたオリジナルコンテンツに関連する更新されたコンテンツを引き続き格納することと、前記キャリアが前記オリジナルコンテンツと前記更新されたコンテンツの両方を保有するように、更新されたコンテンツが選択された携帯型の書き換え可能な記録キャリアに書き込まれるように構成することとを含む方法。
2004503016.tif 000002
【特許請求の範囲】
【請求項１】
デジタルコンテンツをユーザーに提供する方法であって、リクエストに応じてユーザーに提供するためのコンテンツの選択を格納することと、前記ユーザーが前記選択からオリジナルコンテンツを選択するように構成することと、選択されたオリジナルコンテンツが選択された携帯型の書き換え可能な記録キャリアに書き込まれるように構成することと、前記選択されたオリジナルコンテンツに関連する更新されたコンテンツを引き続き格納することと、前記キャリアが前記オリジナルコンテンツと前記更新されたコンテンツの両方を保有するように、更新されたコンテンツが選択された携帯型の書き換え可能な記録キャリアに書き込まれるように構成することとを含む方法。
【請求項２】
前記コンテンツは、公衆データネットワーク上でクライアント端末のユーザーに伝送され、クライアント端末の記録キャリアに書き込まれる請求項１に記載の方法。
【請求項３】
ユーザーによる注文に基づいて、記録キャリアに認証コードが書き込まれることにより、ユーザーが次のアクセスを試みたときに、前記注文を有効にすることができる請求項１または２に記載の方法。
【請求項４】
ユーザーがオリジナルコンテンツを選択すると、ユーザーは、コンテンツの特定のカテゴリーに対して加入期間の間有効な加入権を有するため、ユーザーが、加入期間中に前記カテゴリーの１またはそれ以上のコンテンツアイテムに対して次のリクエストをすると、ユーザーは、前記加入権の一部としてその権利を有する請求項１または３に記載の方法。
【請求項５】
前記記録キャリアは書き換え可能であり、更新されたコンテンツが与えられると、前記オリジナルコンテンツは、クライアント端末でキャッシュメモリに書き込まれ、更新されたコンテンツは、キャッシュにある前記オリジナルコンテンツと照合され、オリジナルおよび更新コンテンツは、選択された携帯型の書き換え可能な記録キャリアに書き込まれる請求項１から４のいずれか一項に記載の方法。
【請求項６】
クライアント端末でキャッシュメモリに書き込まれた更新されたコンテンツは、前記オリジナルコンテンツを保有する選択された携帯型の書き換え可能な記録キャリアに引き続き書き込まれる請求項１から４のいずれか一項に記載の方法。
【請求項７】
選択された携帯型の書き換え可能な記録キャリアへの書込みが完了すると、ＤＶＤ対応プレイヤ／ライタが前記キャリアを読み取ることができる請求項５または６に記載の方法。
【請求項８】
請求項１から７のいずれか一項に記載の方法を実行する装置。
【発明の詳細な説明】
【０００１】
（技術分野）
本発明は、デジタルコンテンツをユーザーに提供する方法に関する。特に、排他的ではないが、本発明は、インターネットなどの公衆データ通信ネットワークを介したマルチメディア製品のオンライン注文に関する。
【０００２】
（背景技術）
インターネットに対する人気とアクセスのしやすさの高まりとともに、クライアント端末へ比較的高帯域幅のデータ接続が増加する中、高帯域幅データ接続（ワイヤレス接続を含む）を介して顧客に送られる製品の購入が増加しつつある。このような購入方法に特に役立つマルチメディア製品は、地上放送、ケーブル、衛星およびインターネットネットワークなどのデータ接続を介して送信されてよいデジタルデータとして、音声および／または映像製品が容易に提供可能である娯楽産業に関連する。
【０００３】
現在、マルチメディア製品は、デジタル多用途ディスク（ＤＶＤ：Ｄｉｇｉｔａｌ　Ｖｅｒｓａｔｉｌｅ　Ｄｉｓｃｓ）などの光ディスクでも購入できる。ＤＶＤ技術は、記録可能で書き換え可能なＤＶＤの出現とともに進歩を遂げてきた。各ディスクで一回の書込みしかできないＤＶＤ−Ｒと、各ディスクで多数回の書込みが可能なＤＶＤ−ＲＡＭ、ＤＶＤ−ＲＷおよびＤＶＤ＋ＲＷを含む多数の異なるタイプがある。
【０００４】
（発明の開示）
本発明によれば、デジタルコンテンツをユーザーに提供する方法であって、リクエストに応じてユーザーに提供するためのコンテンツの選択を格納することと、前記ユーザーが前記選択からオリジナルコンテンツを選択するように構成することと、選択されたオリジナルコンテンツが選択された携帯型の書き換え可能な記録キャリアに書き込まれるように構成することと、前記選択されたオリジナルコンテンツに関連する更新されたコンテンツを引き続き格納することと、前記キャリアが前記オリジナルコンテンツと前記更新されたコンテンツの両方を保有するように、更新されたコンテンツが選択された携帯型の書き換え可能な記録キャリアに書き込まれるように構成することとを含む方法が提供される。
【０００５】
本発明をより深く理解するために、以下、添付の図面を参照しながら、例示的目的のみにより記載する本発明の実施形態について記載する。
【０００６】
（実施形態の詳細な説明）
図１を参照すると、公衆データネットワーク４、本実施形態では、インターネット上で、ＡＴＭ（Ａｓｙｎｃｈｒｏｎｏｕｓ　Ｔｒａｎｓｆｅｒ　Ｍｏｄｅ：非同期転送モード）などの接続５によりインターネットに接続されるデータ処理サーバ６から、データリンク３、好ましくは、デジタル加入者線（ＤＳＬ：Ｄｉｇｉｔａｌ　Ｓｕｂｓｃｒｉｂｅｒ　Ｌｉｎｅｓ）、または、より好ましくは、非対称デジタル加入者線（ＡＤＳＬ：Ａｓｙｍｍｅｔｒｉｃ　Ｄｉｇｉｔａｌ　Ｓｕｂｓｃｒｉｂｅｒ　Ｌｉｎｅｓ）を介して、クライアント端末２の複数のユーザーが、マルチメディアコンテンツを要求（および受信）する。
【０００７】
各クライアント端末２は、キャッシング機能、グラフィックディスプレイ、キーボードやポインティングデバイス、すなわちマウス、などのデータ入力手段、ステレオ／サラウンドラウドスピーカーなどの音声出力手段を有するコンピュータワークステーションを備える。クライアント端末２のそれぞれは、クライアントとサーバとの相互作用を可能にするネットスケープ（登録商標）またはインターネットエクスプローラー（登録商標）などのインターネットブラウザの形のコンピュータプログラムを含む。また、コンピュータワークステーションには、書き換え可能なＤＶＤ、または、さらに詳しく言えば、ＤＶＤ−ＲＡＭ（Ｒａｎｄｏｍ　Ａｃｃｅｓｓ　Ｍｅｍｏｒｙ：ランダムアクセスメモリ）またはＤＶＤ−ＲＷ／ＤＶＤ＋ＲＷ（書き換え可能な）ディスクのライタなど、携帯型の書込み可能な記録キャリアのライタが備えられている。
【０００８】
データ処理サーバ６は、オラクルデータベースなどのデータベースプログラム、ＨＴＭＬページやイメージ・サウンドファイルなどのマルチメディアリソースを格納し、それらをクライアントが引き出すことができるウェブサーバプログラムを含むさまざまな相互作用コンピュータプログラムを含む。
【０００９】
本実施形態によれば、ユーザーは、インターネットを介してデータ処理サーバ６へリクエストを送信するブラウザを用いて、クライアント端末２でデータのリクエストを発することができる。データ処理サーバ６は、そのリクエストを処理し、認証に従って、クライアント端末に暗号化されたデータを送信し、クライアント端末で、暗号化データが復号され、ＤＶＤリーダ／ライタにインストールされたＤＶＤに書き込まれる。
【００１０】
図３を参照すると、データ処理サーバ６にあるウェブページが、クライアント端末のブラウザとして当業者に公知のグラフィックベースのインタフェースによりアクセスされる。ブラウザとサーバとの相互作用は、当業者に公知のものであり、本実施形態の目的に合わせて、単に簡潔に記載される。ユーザーは、主に、グラフィックで表示されたハイパーリンクを選択することにより、自らを誘導してページ間を進む。ハイパーリンクを選択することにより、ユーザーと、サーバに格納された他のページおよびダウンロード可能なファイルとがリンクされる。
【００１１】
ユーザーがホームページを訪れると、ボックス４０に示されているように、上述したシステムのサマリが提示される。ユーザーがそれまでシステムにアクセスしたことがなければ、ユーザーは、クライアント端末２がシステムを使用する最小限の要件を満たすかをチェックするように促される。この代わりとして、ユーザーは、システムを進み、プロセスの後で最小限の要件をチェックすることを決定してもよい。ボックス４２に示されているように、最小限の要件は、クライアント端末に、読取り書込み機能を備えたＤＶＤライタと、書き換え可能なＤＶＤと、十分なキャッシュメモリとが備えられ、非対称デジタル加入者線（ＡＤＳＬ）接続などの比較的高帯域幅のデータ接続を介したネットワークアクセスを有することである。
【００１２】
クライアント端末が最小限の要件を備えていなければ、ユーザーは、「いいえ」を選択するように促され、選択すると、ボックス４４に示されているように、システムを使って注文し、郵送または最小限の要件を備えたクライアント端末（キオスク）に備えられている販売店を訪れてコンテンツを得ることはできるが、データネットワークを介してコンテンツを得ることはできないということが、ユーザーに知らされる。
【００１３】
以下、これらの２つのオプションについてさらに詳細に記載する。
【００１４】
クライアント端末が最小限の要件を備えていれば、ユーザーは、「はい」を選択し、選択すると、ボックス４６に示されているように、サーバが、サービスの使用へのアクセスを可能にする要求されたアプリケーションソフトウェアのダウンロードを開始するようにユーザーに要求するか、または、データ処理サーバ（６）に常駐するアプリケーションソフトウェアを使用することにより、サービスの使用へのアクセスを獲得するように選択してよい。アプリケーションソフトウェアは、暗号および認証機能と、中断されたダウンロードおよび破損データの補償機能と、キャッシング機能と、ジャンプ機能と、ＤＶＤライタのリーダ／ライタ機能とともに動作するファイル管理機能とを備える。
【００１５】
アプリケーションソフトウェアが、クライアント端末に送信され、ダウンロードされ、クライアント端末にインストールされるか、または、データ処理サーバ（６）から直接アクセスされると、ユーザーは、ボックス４８に示されているように、オンラインカタログに進むように促されるか、その代わりとして、ボックス４２から４６に示されている上記の手順をとらずに、オンライン製品カタログに直接進むように要求してよい。
【００１６】
オンライン製品カタログは、ユーザーにより選択され、ダウンロードされ、クライアント端末のディスクに書込み可能なサーバに格納されたファイル／プログラムへの複数のハイパーリンクを一緒にリストしたリンクされたページからなる。本実施形態の目的に合わせて、マルチメディア製品を含むファイルを参照しながら、システムについて記載する。これらの製品は、例えば、音楽産業、映画産業、スポーツまたはそれらの組み合わせの任意のものに関する。
【００１７】
製品は、加入ごとに、提供されている全コンテンツのサブセットに分類される。例えば、音楽製品を提供する場合、製品は、コンテンポラリーミュージシャンまたはグループ、クラシックミュージシャン、作曲家などの音楽アーティスト別に分けられてよい。製品ファイルは、例えば、音声トラックおよびアルバム、音楽ビデオおよびコンサート、およびインタビューを含む。
【００１８】
ユーザーは、表示されたカタログからタイトルを選択するように促されるか（ボックス４８）、または、独立したウェブサイトから特定のタイトルに直接リンクされて、そのタイトルに関係する製品が、発売日、種類およびサイズ、価格情報とともに一覧表で示される（ボックス５０）。ユーザーは、特定のタイトルの注文を行うか、または、メインカタログまたはそれらが送り出される場所へ戻るように促される。ユーザーが注文を選択すると、ボックス５２に示されているように、注文が新規購入であるか、または前の注文の更新であるか質問を受ける。更新の手順については、以下に記載する。
【００１９】
提供されている製品は、所定の加入期間、例えば、１年にわたって、特定のタイトルのマルチメディアコンテンツにアクセスする権利を含む。各タイトルの利用可能なコンテンツは、加入ユーザーによりダウンロードされる新しいコンテンツで、例えば、月毎または週毎に定期的に更新される。
【００２０】
新規購入する前に、ボックス５４に示されているように、ユーザーは、端末の接続が最小限の要件を満たすかをチェックし、要件がすでに確立され、アプリケーションソフトウェアがダウンロードおよびインストールされているか、またはデータ処理サーバ（６）を介してアプリケーションソフトウェアの使用へのアクセスが確立されていれば、「はい」を選択するように促される。
【００２１】
ユーザーが最小限の要件を満たしていることがチェックされなければ、「いいえ」を選択するように促され、選択すると、ボックス５６から６０に示されているように、上記のボックス４２から４６を参照して上述したものと同じ手順をとってガイドされる。いずれにせよ、アプリケーションソフトウェアがアクセスされると、ユーザーは、ボックス６２に示されているように、個人情報（名前、住所、電子アドレスなど）および支払情報（クレジット／デビットカードの詳細）を提出するように促される。情報は、トランザクションを保護するために暗号化されたＳＳＬ（Ｓｅｃｕｒｅ　Ｓｏｃｋｅｔ　Ｌａｙｅｒ：セキュア・ソケット・レイヤ）であってよい。ＳＳＬ暗号プログラムは、ほとんどのブラウザで現在標準的なものとなっている。
【００２２】
支払情報が有効であれば、ボックス６４に示されているように、ユーザーは、書き換え可能なＤＶＤをＤＶＤライタに挿入するように促される。ユーザーによる購入選択を基に、サーバは、クライアント端末に送信され、アプリケーションソフトウェアにより処理され、暗号化された形でＤＶＤに書き込まれる認証コードを発生する。認証コードは、サーバにより暗号化され、ディスク上に暗号化された形で保存されてよい。また、認証コードは、サーバの特徴を示すデジタル署名を含み、後にサーバがコードを有効できるものであってよい。この認証コードは、サーバが特定の製品の支払がなされたことを認識する手段である。
【００２３】
認証コードがＤＶＤに保存されると、ボックス６６に示されているように、サーバは、選択されたファイルをクライアント端末に転送する。クライアント端末に送信されたデータは、キャッシュに一時的に格納および整理され、新しいメニューファイルとともに、ディスクに書き込まれる。ディスクに書き込まれると、許可なく１枚以上のＤＶＤにユーザーがファイルを書き込む可能性を減らすために、キャッシュにあるファイルは削除される。この動作は、クライアント端末内に含まれる標準的なソフトウェアと組み合わせて、アプリケーションソフトウェアにより取り扱われる。
【００２４】
ユーザーが、ＤＶＤのコンテンツを別の記録キャリアにコピーするのを防止するために、ＤＶＤは、コピー禁止のプロテクトがかけられてよい。
【００２５】
データファイルおよび新しいメニューファイルがＤＶＤに書き込まれると、ファイルは、クライアント端末でアクセス可能であり、または、携帯型プレイヤやホームハイファイシステムの完全体などのＤＶＤ対応プレイヤ／ライタでＤＶＤを再生することによりアクセス可能である。しかしながら、前に格納したファイルを実際に上書きすることなく、ディスクを更新することも可能である。したがって、時間をずらした記録が可能である。
【００２６】
ユーザーは、ＤＶＤを更新したければ、オンラインショッピングのウェブページに進み、ボックス４８に示されているように、ユーザーの加入が有効な加入／タイトルを選択するか、または、特別なタイトルに直接独立したウェブサイトからリンクされるか、または、ＤＶＤにプログラムされたルーチンを介して自動的にリンクされてよい。
【００２７】
次に、ユーザーには、前にダウンロードを行った以降に発売されたものを含む選択された加入／タイトルの関連ファイルが提示される。ボックス５０に示されているように、注文／更新を行うことを選択した後、ユーザーは、ボックス５２に示されているように、ＤＶＤの更新希望を選択する。ボックス６８に示されているように、ユーザーは、更新を望むＤＶＤを挿入するように促される（すでに挿入されていない場合）。次に、サーバは、前にＤＶＤに書き込まれた認証コードを与えるようにアプリケーションソフトウェアに命令する。アプリケーションソフトウェアは、コードを引き出し、それをサーバに渡す。現在の適切な加入を示すものとしてコードが確認されると、ユーザーに、前にダウンロードを行った以降に発売されたファイルが提示され、ＤＶＤの更新希望の確認が促される。このプロセスについては、以下に記載する。
【００２８】
前の書込み停止点からＤＶＤの更新を開始するために、更新ファイルは、サーバによりクライアント端末に送信され、クライアント端末のキャッシュに書き込まれる。アプリケーションは、キャッシュ中、コンテンツを暗号化するようにされるため、ファイルは、クライアント端末のキャッシュでアクセスできず、書込み直後にＤＶＤからのみアクセス可能である。更新されたコンテンツまたはデータ「パッケージ」は、以下に記載する既存ファイルを含むＤＶＤに引き続き書き込まれる。キャッシュにあるキャッシュされたファイルは、ユーザーがそれらを許可なく１枚以上のＤＶＤに書き込むのを防止するために、無効または削除される。
【００２９】
データ「パッケージ」は、１またはそれ以上の新しい／修正されたメニューファイルおよび１またはそれ以上の新しいデータファイルからなる。各データファイルは、ＶＭＧＭ（Ｖｉｄｅｏ　Ｍａｎａｇｅｒ　Ｍｅｎｕ：ビデオ・マネージャ・メニュー）ドメインまたはファーストプレイドメインへ誘導するコマンドを含む。
【００３０】
書き換え可能なＤＶＤが、メニューファイルへルーティングされる複数ファイルからなるテンプレートを含むようにプレフォーマットされる場合、既存ファイル（２，図４Ａ）を置き換える新しいデータファイル（２，図４Ｂ）により更新が行われる。新しいデータファイル（２，図４Ｂ）は、ＶＭＧＭ（ビデオ・マネージャ・メニュー）ドメイン（１またはそれ以上のメニューファイルを含む）またはファーストプレイドメインを介して既存ファイル（３，図４Ｂ）に即座にルーティングされ、既存ファイルは、ＤＶＤ対応プレイヤ／ライタでの再生に必要なフローを保存する修正メニューファイル（０，図４Ｂ）にルーティングされる。
【００３１】
上述したように、書き換え可能なＤＶＤがプレフォーマットされない場合、最初に新しいメニューファイル（０）を書き込む必要があり、新しいデータファイル（１）がＶＭＧＭまたはファーストプレイドメインを介してさらなるデータファイル（２）に即座にルーティングされ、さらなるデータファイル（２）は、メニューファイルにルーティングされて、図４Ｃに示されているように、フローを形成する。更新を行うために、図４Ｄに、ＶＭＧＭまたはファーストプレイドメインを介して後続ファイルに即座にルーティングされる新しいデータファイル（２，図４Ｄ）が、既存ファイル（２，図４Ｃ）と置き換わるため、ＤＶＤ対応プレイヤ／ライタでの再生に必要なフローを維持するために、さらなるファイル（３，図４Ｄ）が追加され、修正されたメニューファイル（０，図４Ｄ）にルーティングされなければならない。
【００３２】
フォーマットされたシナリオとフォーマットされないシナリオの両方のファイル管理機能は、両方の方法が、新しいか、または修正されたメニューファイルと、ＤＶＤ対応プレイヤでの再生に必要なフローを維持するナビゲーションコマンドを含む１またはそれ以上のデータファイルとからなるデータの「パッケージ」を書き込む必要があるという共通の性質を共有する。
【００３３】
ルーティングを行うプロセスは、１またはそれ以上のメニューファイルを含むＶＭＧＭドメイン（および／またはファーストプレイドメイン）を介して後続のデータファイルに最後に再生されたデータファイルを即座に送るジャンプ機能を利用することにより達成され、したがって、事実上、図４に示されているように、ファイルからファイルへのフローが維持される。
【００３４】
チェーン終了時の最後のデータファイルは、１またはそれ以上のメニューファイルを含むＶＭＧＭドメイン（および／またはファーストプレイドメイン）にジャンプする。この場合、最後のデータファイル内に含まれる予めプログラムされたコマンドの結果として、ジャンプ機能による任意のジャンプコマンドセットが無効および無視される。ジャンプ機能は、以下の通り、システムパラメータ（ＳＰＲＭＳ：Ｓｙｓｔｅｍ　Ｐａｒａｍｅｔｅｒｓ）および／または一般パラメータ（ＧＰＲＭＳ：Ｇｅｎｅｒａｌ　Ｐａｒａｍｅｔｅｒｓ）とともに動作する。
【００３５】
システムパラメータ（ＳＰＲＭＳ）を用いると、１またはそれ以上のメニューファイルを含むＶＭＧＭドメイン（および／またはファーストプレイドメイン）にあるジャンプコマンドセットの宛先は、ジャンプを後続のデータファイルに向けるために、現在のシステムパラメータ値（最後に再生されたデータファイル値に関係する値）が獲得された後に修正されるルーチンを実行することにより決定される。
【００３６】
一般パラメータ（ＧＰＲＭＳ）を用いると、１またはそれ以上のメニューファイルを含むＶＭＧＭドメイン（および／またはファーストプレイドメイン）にあるジャンプコマンドセットの宛先は、ジャンプを後続のデータファイルに向けるために、後続のデータファイルに関係する一般パラメータ値を設定する最後に再生されたデータにより決定される。
【００３７】
（さらなる実施形態）
ユーザーが有効な加入権と最小限の要件を満たしたクライアント端末を有する場合に、ユーザーがＤＶＤの更新を開始する代替方法は、アプリケーションソフトウェアおよびブラウザを自動的に立ち上げるＤＶＤ上のプログラムされたルーチンを実行することである。ブラウザにより、ＤＶＤに前に書き込まれた認証コードを与えるようにアプリケーションソフトウェアに命令するサーバとの通信状態が確立される。アプリケーションソフトウェアは、コードを引き出し、それをサーバに与える。現在の適切な加入を示すものとしてコードが確認されると、ユーザーに、前にダウンロードを行った以降に発売されたファイルが提示され、ＤＶＤの更新希望の確認が促される。この代替プロセスについては、以下に記載する。
【００３８】
前の書込み停止点からＤＶＤを更新する代替方法において、ＤＶＤのコンテンツは、クライアント端末のキャッシュに書き込まれる。更新ファイルは、処理が施されるクライアント端末にサーバにより送信され、既存ファイルと照合される。アプリケーションは、キャッシュ中、コンテンツを暗号化するようにされるため、ファイルは、クライアント端末のキャッシュでアクセスできず、書込み直後にＤＶＤからのみアクセス可能である。既存の更新ファイルがＤＶＤに書き込まれること以外に、ＤＶＤの更新コンテンツを反映するために、メニューファイルが書き換えされる。その後、キャッシュにあるキャッシュしたファイルは、ユーザーがそれらを許可なく１枚以上のＤＶＤに書き込むのを防止するために、無効または削除される。
【００３９】
以下、ＤＶＤを更新するさらなる別の方法について記載する。ＤＶＤの前のコンテンツがキャッシュに最初に書き込まれる以外に、サーバは、更新とともに、ＤＶＤの前のコンテンツを転送してよい。この代替プロセスは、より長い時間がダウンロードにかかることを理解されたい。
【００４０】
ユーザーのクライアント端末が最小限の要求を満たさなければ、ユーザーは、郵送か小売販売店のいずれかでシステムにアクセスできる。
【００４１】
郵送プロセスの場合、ユーザーは、オンラインホームページに進み、タイトルまたは製品を選択するか、または、独立したウェブサイトからリンクされ、特定のタイトルまたは製品に向けられる必要がある。この選択は、ユーザーの個人支払情報とともに、インターネットを介してサーバに送信可能である。次に、選択されたファイルは、ホストエンドでＤＶＤに書き込まれ、郵便の宛先のユーザーに送られる。この場合、前に書き込まれたＤＶＤであるが、更新するために同じプロセスが要求され、その場合、ＤＶＤは、更新するために郵送によりホストに戻されてよい。
【００４２】
この代わりとして、オリジナルと更新されたコンテンツを含む新しいＤＶＤまたは複製されたＤＶＤが、郵便の宛先のユーザーに送られる。前の古いＤＶＤは、ホストに戻されてよい。
【００４３】
郵便プロセスの代わりとして、ユーザーは、最小限の要求を満たす「キオスク」またはクライアント端末に備えられている、いわゆる音楽ショップやビデオストアなどの小売販売店を訪れることができる。
【００４４】
ユーザーは、図３を参照して上述したように、通常のプロセスを行うが、サーバに支払情報を送信する代替方法として、小売販売店がホストに代わってユーザーから集金してよい。さらに、オリジナルコンテンツを含むＤＶＤが購入された後、上述した方法を用いて更新されてよい。
【００４５】
小売販売店でクライアント端末にアクセスする１つの利点は、サーバによりクライアント端末にファイルが送信されると、少なくとも高需要期間中、ファイルが格納および保持されるため、同じファイルの次のリクエストが、データ接続ではなく端末から直接サービスされることである。
【００４６】
さらに、クライアント端末のキャッシュが、特定の加入、例えば、キオスクのキャッシュに関係するすべてのコンテンツを保有する場合、ディスク全体は、その加入に関係するすべての現在のコンテンツで書き換えされてよいことは、当業者に明らかであろう。
【００４７】
また、クライアント端末が、対応性のあるリターンパスを有する対応性のある機能強化されたテレビジョン／レシーバと、ブラウザナビゲーションおよびデータ入力を可能にするハードウェアおよびソフトウェア手段と、前述したようなアプリケーションプログラムの十分な処理能力と、十分なキャッシング機能と、対応性のあるＤＶＤリーダ／ライタとを含むエンターテイメントシステムからなるものであってよいことも、当業者に明らかであろう。また、クライアント端末は、上記のエンターテイメントシステムと、前述したＰＣベースのシステムとの組み合わせからなるものであってよい。
【００４８】
また、本願明細書に記載した方法の任意のもので使用されるアプリケーションプログラムが、ダウンロード方法を介してアクセスされるか、またはサーバ側を介してアクセスされることと対照的に、クライアント端末のファームウェア内に与えられてよいことも、当業者に明らかであろう。
【００４９】
また、データ伝送の代替形態が、例えば、対応性のあるリターンパスと組み合わせて、地上放送、ケーブル、衛星ネットワークなど、本願明細書に記載される任意の方法を実行するために使用されてよいことも、当業者に明らかであろう。
【００５０】
上述したような更新を開始する方法の任意のものが、上述した更新方法の任意のものと組み合わされてよいことを理解されたい。
【００５１】
特許請求の範囲に規定される本発明の範囲から逸脱することなく、上述した実施形態に関連して、さまざまな修正および代替がなされてよいことを理解されたい。
【図面の簡単な説明】
【図１】本発明の実施形態において使用されるネットワーク構成の略図である。
【図２】データ処理サーバ６（図１）に常駐する場合と対照的に、クライアント端末に常駐する場合のソフトウェアの略図である。
【図３】クライアント側のシステムのフローチャートである。
【図４】ファイル管理機能を示す図である。
【図１】
2004503016.tif 000003
【図２】
2004503016.tif 000004
【図３】
2004503016.tif 000005
【図４】
2004503016.tif 000006
【国際公開パンフレット】
2004503016.tif 000007
2004503016.tif 000008
2004503016.tif 000009
2004503016.tif 000010
2004503016.tif 000011
2004503016.tif 000012
2004503016.tif 000013
2004503016.tif 000014
2004503016.tif 000015
2004503016.tif 000016
2004503016.tif 000017
2004503016.tif 000018
2004503016.tif 000019
2004503016.tif 000020
2004503016.tif 000021
2004503016.tif 000022
2004503016.tif 000023
2004503016.tif 000024
2004503016.tif 000025
2004503016.tif 000026
2004503016.tif 000027
【国際公開パンフレット（コレクトバージョン）】
2004503016.tif 000028
【国際調査報告】
2004503016.tif 000029
2004503016.tif 000030
2004503016.tif 000031
2004503016.tif 000032